(57)【要約】【課題】見映えを良くし、操作を容易とし、コンパクト化でき、化粧料を多く収容する。【解決手段】複数の中皿３を、蓋部２と台座部１との間で中心軸線Ｐ周りに沿って配置し、蓋部２と台座部１との相対回転操作によって、複数の中皿３をそれぞれの揺動機構２１により揺動させ同時に、蓋部２及び台座部１よりなる相対回転部９３から側方へ出現又は相対回転部９３内に没入させる。このように中皿３を多段に配置しないことにより高さを低くする。揺動機構２１を、例えば化粧料容器の中心軸に連結され外側へ延びるアームと中皿とを軸線方向に重ねて連結する構成としないことにより、高さをアームの分低くする。揺動支点となる軸部１３を蓋部２と台座部１との間の外側に位置させることにより、中皿３をより大きく外側へ出現させ収容部１８を大きくする。中皿３を出現させた状態で中皿３が重ならないようにし、収容部１８を大きくする。【選択図】図３
2020185097.tif 000002
【特許請求の範囲】
【請求項１】
台座部及び前記台座部上に重ねられ前記台座部に対して相対回転可能な蓋部を有する相対回転部と、
前記蓋部と前記台座部との間で中心軸線周りに沿って複数が配置され、化粧料を収容した収容部を有する中皿と、
前記蓋部と前記台座部とが前記中心軸線周りに相対回転操作されると、複数の前記中皿を揺動させて前記相対回転部から側方へ同時に出現させ、前記蓋部と前記台座部とが逆方向へ相対回転操作されると、複数の前記中皿を逆方向へ揺動させて前記相対回転部内に同時に没入させるそれぞれの揺動機構と、を備え、
前記揺動機構は、
前記蓋部又は前記台座部の何れか一方の対向面の外側に突設され、前記中皿の揺動支点となる軸部と、
前記台座部又は前記蓋部の他方の対向面の外側に突設されたピンと、
前記中皿に設けられ、前記中皿が前記軸部を支点として揺動するように前記ピンが遊嵌配置される長溝又は長孔と、を備えたことを特徴とする化粧料容器。
【請求項２】
前記台座部及び前記蓋部は、軸線方向視において正方形をなしており、前記中皿が没入した状態で、軸線方向視において重なり一致していることを特徴とする請求項１記載の化粧料容器。
【請求項３】
前記台座部及び前記蓋部は、軸線方向視において円形をなし、重なり一致していることを特徴とする請求項１記載の化粧料容器。
【請求項４】
前記蓋部は、中央に開口部を有し、前記中皿が没入した状態で、前記中皿の前記収容部及び、前記長溝又は前記長孔より内側部分が、前記開口部を塞ぐことを特徴とする請求項１〜３の何れか一項に記載の化粧料容器。
【請求項５】
前記台座部において前記開口部に対向する位置には、台座収容部が凹設されていることを特徴とする請求項４記載の化粧料容器。
【発明の詳細な説明】
【技術分野】
【０００１】
本発明は、化粧料容器に関する。
【背景技術】
【０００２】
従来、化粧用収容容器に引き出し部材を設け、当該引き出し部材が出没するものとして以下の特許文献１に記載の化粧用収容容器が知られている。この特許文献１に記載の化粧用収容容器は、容器本体に対してキャップ体を開く方向へ回転操作すると、カム機構を介して、引き出し部材がキャップ体から出現し、キャップ体を逆方向へ回転操作すると、カム機構を介して、引き出し部材がキャップ体に後退するものである。
【０００３】
また、以下の特許文献２には、複数の収容皿を多段に重ねて卵状とし、上下に隣接する収容皿の揺動支点の位置を偏った位置とし、収容皿を揺動支点で揺動させて各収容皿を出し入れする小物入れが記載されている。
【先行技術文献】
【特許文献】
【０００４】
【特許文献１】特許第４５６４１０４号公報
【特許文献２】実公平４−２０２５１
【発明の概要】
【発明が解決しようとする課題】
【０００５】
ところで、最近においては、化粧料を収容した複数の中皿を化粧料容器で出し入れする要望がある。ここで、特許文献１の構成では、複数の中皿を化粧料容器から出し入れすることはできない。また、特許文献２の構成を採用した場合、中皿を１段ずつ揺動させる必要があり、操作が面倒である。また、中皿が１段ずつずれているため、中皿を出したときの見映えが良くないという問題がある。また、中皿を多段で積み上げることになるため、高さが高く、コンパクト化できないといった問題がある。さらに、中皿を出した状態で中皿同士に重なる部分があるため、収容する化粧料の量が少なくなるといった問題がある。
【０００６】
そこで、本発明は、見映えが良く、且つ、操作が容易であり、且つ、コンパクト化でき、加えて、化粧料を多く収容できる化粧料容器を提供することを目的とする。
【課題を解決するための手段】
【０００７】
本発明による化粧料容器は、台座部及び台座部上に重ねられ台座部に対して相対回転可能な蓋部を有する相対回転部と、蓋部と台座部との間で中心軸線周りに沿って複数が配置され、化粧料を収容した収容部を有する中皿と、蓋部と台座部とが中心軸線周りに相対回転操作されると、複数の中皿を揺動させて相対回転部から側方へ同時に出現させ、蓋部と台座部とが逆方向へ相対回転操作されると、複数の中皿を逆方向へ揺動させて相対回転部内に同時に没入させるそれぞれの揺動機構と、を備え、揺動機構は、蓋部又は台座部の何れか一方の対向面の外側に突設され、中皿の揺動支点となる軸部と、台座部又は蓋部の他方の対向面の外側に突設されたピンと、中皿に設けられ、中皿が軸部を支点として揺動するようにピンが遊嵌配置される長溝又は長孔と、を備えたことを特徴としている。
【０００８】
このような化粧料容器によれば、複数の中皿が、蓋部と台座部との間で中心軸線周りに沿って配置され、蓋部と台座部との中心軸線周りの相対回転操作によって、複数の中皿がそれぞれの揺動機構により揺動し同時に、蓋部及び台座部よりなる相対回転部から側方へ出現又は相対回転部内に没入するため、見映えが良く、且つ、操作が容易である。また、このように中皿は多段に配置されていないため、高さを低くでき、コンパクト化できる。また、中皿を揺動させる揺動機構は、例えば化粧料容器の中心軸に連結され外側へ延びるアームと中皿とを軸線方向に重ねて連結する構成ではないため、高さをアームの分低くでき、一層コンパクト化できる。また、揺動支点となる軸部が蓋部と台座部との間の外側にあるため、中皿をより大きく外側へ出現させることができ、収容部を大きくでき、化粧料を多く収容できる。また、中皿を出現させた状態で中皿が重ならないため、収容部を大きくでき、化粧料を一層多く収容できる。
【０００９】
ここで、上記作用・効果を好適に奏する構成としては、具体的には、蓋部及び台座部は、軸線方向視において正方形をなしており、中皿が没入した状態で、軸線方向視において重なり一致している構成が挙げられる。このような構成によれば、見映えを向上できる。
【００１０】
また、蓋部及び台座部は、軸線方向視において円形をなし、重なり一致している構成も挙げられる。このような構成によれば、見映えを向上できる。
【００１１】
また、蓋部は、中央に開口部を有し、中皿が没入した状態で、中皿の収容部及び、長溝又は長孔より内側部分が、開口部を塞ぐ構成であると、中皿の収容部及び、長溝又は長孔より内側部分を、蓋として兼用できる。
【００１２】
また、台座部において開口部に対向する位置には、台座収容部が凹設されていると、台座収容部に、化粧料塗布具、鏡、金皿等に充填された化粧料を収容でき、使用時に中皿が揺動し出現すると、中皿により塞がれていた開口部が開となり、使用に供することができる。
【発明の効果】
【００１３】
このように本発明によれば、見映えが良く、且つ、操作が容易であり、且つ、コンパクト化を図ることができ、加えて、化粧料の収容量を多くすることができる化粧料容器を提供できる。
【図面の簡単な説明】
【００１４】
【図１】本発明の第１実施形態に係る化粧料容器を示す斜視図であり、中皿が没入した状態を示す斜視図である。
【図２】図１に示す状態から中皿が出現した状態を示す斜視図である。
【図３】図１の状態の台座部及び中皿を示す斜視図であり、一部は台座部及び中皿の分解斜視図である。
【図４】図２の状態の台座部及び中皿を示す斜視図である。
【図５】図２の状態の蓋部を点線の中皿と共に下方側から見た斜視図である。
【図６】台座部を示す斜視図である。
【図７】蓋部を下方側から見た斜視図である。
【図８】中皿を示す平面図である。
【図９】中皿の裏面図である。
【図１０】本発明の第２実施形態に係る化粧料容器を示す斜視図であり、中皿が没入した状態を示す斜視図である。
【図１１】図１０に示す状態から中皿が出現した状態を示す斜視図である。
【図１２】図１０の状態の台座部及び中皿を示す斜視図であり、一部は台座部及び中皿の分解斜視図である。
【図１３】図１１の状態の台座部及び中皿を示す斜視図である。
【図１４】図１１の状態の蓋部を点線の中皿と共に下方側から見た斜視図である。
【図１５】台座部を示す斜視図である。
【図１６】蓋部を下方側から見た斜視図である。
【図１７】中皿を示す平面図である。
【図１８】中皿の裏面図である。
【図１９】本発明の第３実施形態に係る化粧料容器を示す斜視図であり、中皿が没入した状態を示す斜視図である。
【図２０】図１９に示す状態から中皿が出現した状態を示す斜視図である。
【図２１】図１９の状態の台座部及び中皿を示す斜視図であり、一部は台座部及び中皿の分解斜視図である。
【図２２】図２０の状態の台座部及び中皿を示す斜視図である。
【図２３】図２０の状態の蓋部及び中皿を下方側から見た斜視図である。
【図２４】台座部を示す斜視図である。
【図２５】蓋部を下方側から見た斜視図である。
【図２６】中皿を示す平面図である。
【図２７】中皿の裏面図である。
【図２８】図２１中のXXVIII-XXVIII線に沿う断面図である。
【発明を実施するための形態】
【００１５】
以下、本発明による化粧料容器の好適な実施形態について図１〜図２８を参照しながら説明する。図１〜図９は、本発明の第１実施形態を、図１０〜図１８は、本発明の第２実施形態を、図１９〜図２８は、本発明の第３実施形態を各々示すものであり、各図において、同一の要素には同一の符号を付し、重複する説明は省略する。
【００１６】
先ず、図１〜図９に示す第１実施形態を説明する。図１は、本発明の第１実施形態に係る化粧料容器を示す斜視図であり、中皿が没入した状態を示す斜視図、図２は、図１に示す状態から中皿が出現した状態を示す斜視図、図３は、図１の状態の台座部及び中皿を示す斜視図、図４は、図２の状態の台座部及び中皿を示す斜視図、図５は、図２の状態の蓋部を点線の中皿と共に下方側から見た斜視図、図６は、台座部を示す斜視図、図７は、蓋部を下方側から見た斜視図、図８及び図９は、中皿を示す各図である。なお、以下の説明において、「上」、「下」、は、図１及び図２に示す化粧料容器を基準とした方向とする。
【００１７】
本実施形態の化粧料容器は、中皿に収容された化粧料を被塗布部に塗布する際に用いられるものであり、ここでは、コンパクト容器として用いられている。本実施形態の化粧料容器では、使用者による回転操作により、複数の中皿が化粧料容器の側部から側方へ出現し（図２参照）、逆方向への回転操作により、複数の中皿が化粧料容器内に没入する（図１参照）ものである。以下、具体的に説明する。
【００１８】
図１に示すように、化粧料容器１００は、台座部１と、台座部１に対向する蓋部２と、台座部１と蓋部２との間に配置された複数の中皿３と、を備えている。
【００１９】
台座部１は、図６に示すように、正方形状の底板４の各側面に長方形状の側板５を立設させた有底筒状部６を備えている。底板４の中央には、円筒状を呈し、蓋部２の中心軸１２（後述）を受ける中心軸受け７が設けられている。底板４の四隅から側板５に沿って多少反時計回りにずれたそれぞれの位置には、中皿３の長溝２０（後述）に進入するピン８が突設されている。
【００２０】
図１に示すように、蓋部２は、正方形状の上板９の各側面に長方形状の側板１０を立設させた有頂筒状部１１を備えている。図７に示すように、有頂筒状部１１は、台座部１の有底筒状部６（図６参照）を逆さにした形状を呈している。上板９の中央には、円筒状を呈し、台座部１の中心軸受け７に装着される中心軸１２が突設されている。上板９の四隅には、中皿３の揺動支点となる軸部１３が突設されている。
【００２１】
中皿３は、平板状をなすと共に、図８及び図９に示すように、軸線方向視（上下方向視）において不等辺の四角形状を呈し、ここでは、４個が設けられている（図３参照）。中皿３は、互いに直交する直交面１４，１５と、長尺な直交面１４に鋭角にて繋がる傾斜面１６と、短尺な直交面１５に鈍角にて繋がると共に傾斜面１６に繋がる傾斜面１７と、これらの面に連結される上、下面を備えている。
【００２２】
図８に示すように、中皿３の上面には、化粧料を収容する収容部１８が、側面である直交面１４，１５、傾斜面１６，１７に沿って凹設されている。化粧料は、例えば、リップグロス、アイシャドウ、アイカラー、アイブロウ等を始めとした化粧料である。また、化粧料は、例えば、プレスし固形化した粉体化粧料や、充填時には流動性があるが冷えると固化する化粧料等であり、要は、化粧料容器１００を傾けても収容部１８から流れ出ない化粧料である。なお、図面において化粧料は省略されている。
【００２３】
また、中皿３の収容部１８と短尺な直交面１５との間で、直交面１４，１５との間の角部には、蓋部２の軸部１３が進入する孔１９が貫通して設けられている。中皿３の収容部１８と直交面１５との間の位置に対応する下面には、図９に示すように、孔１９から直交面１５に沿って傾斜面１７に向かって延びる長溝２０が、台座部１のピン８を遊嵌配置するものとして凹設されている。長溝２０は、ここでは、孔１９に連通して設けられているが、連通していなくても良い。
【００２４】
そして、図３に示すように、台座部１に全ての中皿３を載置しながら、台座部１のピン８を長溝２０に遊嵌配置し（図４も参照）、中皿３の傾斜面１６と隣接する中皿３の傾斜面１７とを接触させる。この状態で、台座部１の側板５の外周面と中皿３の直交面１４，１５とは面一となる。この状態で、中皿３の内側の部分同士の間には中心軸１２が通る空間が形成されている。また、台座部１のピン８は、ここでは、長溝２０内の長手方向の途中に位置している。なお、台座部１のピン８は、長溝２０の長手方向の端部（ピン８が当接する後述の回転限の端部とは反対側の端部）に位置していても良い。
【００２５】
この状態で、台座部１及び中皿３に、蓋部２を、軸線方向視において台座部１に重なり一致するように被せ、図５を参照して説明すれば、蓋部２の軸部１３を中皿３の孔１９に挿入すると共に、蓋部２の中心軸１２を、図６に示す台座部１の中心軸受け７に圧入し回転可能且つ軸線方向移動不能に装着することにより、図１に示すように、中皿３が台座部１と蓋部２との間に挟み込まれ没入した化粧料容器１００が得られる。
【００２６】
そして、台座部１に設けられたピン８、蓋部２に設けられ、中皿３の孔１９に挿入されて中皿３の揺動支点となる軸部１３、及び、中皿３に設けられ、ピン８が遊嵌配置される長溝２０により、中皿３を揺動させる揺動機構２１が構成されている（図６、図７及び図９参照）。また、中心軸１２及び中心軸受け７により、台座部１と蓋部２とを相対回転させる回転機構が構成されている。また、台座部１及び台座部１上に重ねられ台座部１に対して相対回転可能な蓋部２により相対回転部９３が構成されている（図１参照）。
【００２７】
このように構成された化粧料容器１００によれば、図１に示す非使用状態から使用に供する場合には、使用者は、蓋部２と台座部１をそれぞれ把持し、蓋部２と台座部１を中心軸線Ｐ（台座部１及び蓋部２の中心軸線；図４及び図５参照）周りに相対回転操作する。ここでは、使用者が、蓋部２を反時計回りに回転操作したとして説明する。
【００２８】
すると、蓋部２の回転に伴い、図４を参照して説明すれば、全ての中皿３は、孔１９に進入している蓋部２の軸部１３（図５参照）を揺動支点とし、長溝２０内でのピン８の位置が移動しながら、反時計回りに揺動する。これにより、中皿３は、台座部１と蓋部２との間から外部へ出現してくる。
【００２９】
そして、台座部１のピン８が、長溝２０の長手方向の端部に当接すると蓋部２が回転限となり、図２に示す状態となる（図４及び図５も参照）。この状態では、全ての中皿３の収容部１８は、ほぼ全体が、台座部１と蓋部２との間から外部に出現（露出）している。
【００３０】
この状態で、使用者は、パフ、チップ、ブラシ等の化粧料塗布具や指に、収容部１８内の化粧料を付け、例えば肌等の被塗布部に塗布する。
【００３１】
塗布が終了したら、使用者は、蓋部２を逆方向の時計回りに回転操作する。すると、蓋部２の回転に伴い、全ての中皿３は、孔１９に進入している蓋部２の軸部１３を揺動支点とし、長溝２０内でのピン８の位置が移動しながら、時計回りに揺動する。そして、台座部１のピン８が、長溝２０の元の位置まで移動すると、中皿３の傾斜面１６，１７同士が接触し（図３参照）、蓋部２が回転限となる。この状態で、全ての中皿３は、台座部１と蓋部２との間に没入し、図１に示す状態となる。
【００３２】
このように、本実施形態によれば、複数の中皿３が、蓋部２と台座部１との間で中心軸線Ｐ周りに沿って配置され、蓋部２と台座部１との中心軸線Ｐ周りの相対回転操作によって、複数の中皿３がそれぞれの揺動機構２１により揺動し同時に、蓋部２及び台座部１よりなる相対回転部９３から側方へ出現又は相対回転部９３内に没入するため、見映えが良く、且つ、操作が容易である。また、このように中皿３は多段に配置されていないため、高さを低くでき、コンパクト化できる。また、中皿３を揺動させる揺動機構２１は、例えば化粧料容器の中心軸に連結され外側へ延びるアームと中皿とを軸線方向に重ねて連結する構成ではないため、高さをアームの分低くでき、一層コンパクト化できる。また、揺動支点となる軸部１３が蓋部２と台座部１との間の外側にある（詳しくは、揺動支点となる軸部１３の方がピン８より径方向外側に位置している。換言すれば、中心軸線Ｐと軸部１３を結ぶ線分の方が中心軸線Ｐとピン８を結ぶ線分より長い。；以降の実施形態でも位置、長さ関係は同じ）ため、中皿３をより大きく外側へ出現させることができ、収容部１８を大きくでき、化粧料を多く収容できる。また、中皿３を出現させた状態で中皿３が重ならないため、収容部１８を大きくでき、化粧料を一層多く収容できる。
【００３３】
また、蓋部２及び台座部１は、軸線方向視において正方形をなしており、中皿３が没入した状態で、軸線方向視において重なり一致しているため、見映えが良い。
【００３４】
次いで、第２実施形態を説明する。図１０は、本発明の第２実施形態に係る化粧料容器を示す斜視図であり、中皿が没入した状態を示す斜視図、図１１は、図１０に示す状態から中皿が出現した状態を示す斜視図、図１２は、図１０の状態の台座部及び中皿を示す斜視図であり、一部は台座部及び中皿の分解斜視図、図１３は、図１１の状態の台座部及び中皿を示す斜視図、図１４は、図１１の状態の蓋部を点線の中皿と共に下方側から見た斜視図、図１５は、台座部を示す斜視図、図１６は、蓋部を下方側から見た斜視図、図１７及び図１８は、中皿を示す各図である。
【００３５】
図１０に示すように、第２実施形態の化粧料容器２００が第１実施形態の化粧料容器１００と違う点は、平面視正方形の形状を平面視円形の形状とした点であり、台座部１に代えて台座部３１が、蓋部２に代えて蓋部３２が、中皿３に代えて中皿３３が、それぞれ用いられている。
【００３６】
台座部３１は、図１５に示すように、円形状の底板３４の側面に円筒状の側板３５を立設させた有底筒状部３６を備えている。底板３４の中央には、第１実施形態と同様な中心軸受け７が設けられ、底板３４の外周側には、側板３５に沿って多少内側の位置に、中皿３３の長溝５０（後述）に進入するピン３８が、周方向に等間隔に離間して４個突設されている。
【００３７】
図１０に示すように、蓋部３２は、円形状の上板３９の側面に円筒状の側板４０を立設させた有頂筒状部４１を備えている。図１６に示すように、有頂筒状部４１は、台座部３１の有底筒状部３６を逆さにした形状を呈している。上板３９の中央には、第１実施形態と同様な中心軸１２が突設されている。上板３９の外周側には側板４０に沿い周方向に等間隔に離間して、中皿３３の揺動支点となる軸部４３が４個突設されている。軸部４３は、軸線方向視において、ピン３８より外側に位置している。また、中皿３３が蓋部３２と台座部３１との間に没入した状態（図１０参照）で、軸部４３は、軸線方向視において、ピン３８より時計回りに多少ずれて位置している。
【００３８】
中皿３３は、平板状をなすと共に、図１７及び図１８に示すように、軸線方向視（上下方向視）において略扇形を呈し、ここでは、４個が設けられている（図１２参照）。中皿３３は、外側の円弧面４４と、円弧面４４の両側と扇形の扇頂部（頂点を含む軸線方向の辺）とをそれぞれ繋ぐ連結面４６，４７と、これらの面に連結される上、下面を備えている。
【００３９】
図１７に示すように、中皿３３の上面には、化粧料を収容する収容部４８が、円弧面４４及び連結面４６に沿って凹設されると共に、扇頂部から円弧面に４４に向かうに従い連結面４７から湾曲しながら徐々に離れるように凹設されている。
【００４０】
また、中皿３３の収容部４８と連結面４７との間で、円弧面４４寄り且つ収容部４８寄りの位置には、蓋部３２の軸部４３が進入する孔４９が貫通して設けられている。中皿３３の収容部４８と連結面４７との間の位置に対応する下面には、図１８に示すように、孔４９から連結面４７に向かって斜めに交差するように延びる長溝５０が、台座部３１のピン３８を遊嵌配置するものとして凹設されている。長溝５０は、ここでは、孔４９に連通して設けられているが、連通していなくても良い。
【００４１】
そして、図１２に示すように、台座部３１に全ての中皿３３を載置しながら、台座部３１のピン３８を長溝５０に遊嵌配置し（図１３も参照）、中皿３３の連結面４６と隣接する中皿３３の連結面４７とを接触させる。この状態で、台座部３１の側板３５の外周面と中皿３３の円弧面４４とは面一となる。この状態で、中皿３３の内側の部分同士の間には、第１実施形態と同様に、中心軸１２が通る空間が形成されている。また、台座部３１のピン３８は、ここでは、長溝５０内の長手方向の途中に位置している。なお、台座部３１のピン３８は、長溝５０の長手方向の端部（ピン３８が当接する後述の回転限の端部とは反対側の端部）に位置していても良い。
【００４２】
この状態で、第１実施形態と同様に、台座部３１及び中皿３３に、蓋部３２を、軸線方向視において台座部３１に重なり一致するように被せ、図１４を参照して説明すれば、蓋部３２の軸部４３を中皿３３の孔４９に挿入すると共に、蓋部３２の中心軸１２を、図１５に示す台座部３１の中心軸受け７に圧入し回転可能且つ軸線方向移動不能に装着することにより、図１０に示すように、中皿３３が台座部３１と蓋部３２との間に挟み込まれ没入した化粧料容器２００が得られる。
【００４３】
そして、台座部３１に設けられたピン３８、蓋部３２に設けられ、中皿３３の孔４９に挿入されて中皿３３の揺動支点となる軸部４３、及び、中皿３３に設けられ、ピン３８が遊嵌配置される長溝５０により、中皿３３を揺動させる揺動機構５１（図１５、図１６及び図１８参照）が構成されている。また、台座部３１及び蓋部３２により相対回転部９４が構成されている（図１０参照）。
【００４４】
このように構成された化粧料容器２００によれば、図１０に示す非使用状態から使用に供する場合には、使用者は、蓋部３２と台座部３１をそれぞれ把持し、蓋部３２と台座部３１を中心軸線Ｐ（台座部３１及び蓋部３２の中心軸線；図１３及び図１４参照）周りに相対回転操作する。ここでは、使用者が、蓋部３２を反時計回りに回転操作したとして説明する。
【００４５】
すると、蓋部３２の回転に伴い、図１３を参照して説明すれば、全ての中皿３３は、孔４９に進入している蓋部３２の軸部４３（図１４参照）を揺動支点とし、長溝５０内でのピン３８の位置が移動しながら、反時計回りに揺動する。これにより、中皿３３は、台座部３１と蓋部３２との間から外部へ出現してくる。
【００４６】
そして、台座部３１のピン３８が、長溝５０の長手方向の端部に当接すると蓋部３２が回転限となり、図１１に示す状態となる（図１３及び図１４も参照）。この状態では、全ての中皿３３の収容部４８は、ほぼ全体が、台座部３１と蓋部３２との間から外部に出現（露出）している。
【００４７】
この状態で塗布を行い、塗布が終了したら、使用者は、蓋部３２を逆方向の時計回りに回転操作する。すると、蓋部３２の回転に伴い、全ての中皿３３は、孔４９に進入している蓋部３２の軸部４３を揺動支点とし、長溝５０内でのピン３８の位置が移動しながら、時計回りに揺動する。そして、台座部３１のピン３８が、長溝５０の元の位置まで移動すると、中皿３３の連結面４６，４７同士が接触し（図１２参照）、蓋部３２が回転限となる。この状態で、全ての中皿３３は、台座部３１と蓋部３２との間に没入し、図１０に示す状態となる。
【００４８】
このような第２実施形態の化粧料容器２００にあっても、第１実施形態と同様な作用・効果を奏する。すなわち、複数の中皿３３が、蓋部３２と台座部３１との間で中心軸線Ｐ周りに沿って配置され、蓋部３２と台座部３１との中心軸線周りの相対回転操作によって、複数の中皿３３がそれぞれの揺動機構５１により揺動し同時に、蓋部３２及び台座部３１よりなる相対回転部９４から側方へ出現又は相対回転部９４内に没入するため、見映えが良く、且つ、操作が容易である。また、このように中皿３３は多段に配置されていないため、高さを低くでき、コンパクト化できる。また、中皿３３を揺動させる揺動機構５１は、例えば化粧料容器の中心軸に連結され外側へ延びるアームと中皿とを軸線方向に重ねて連結する構成ではないため、高さをアームの分低くでき、一層コンパクト化できる。また、揺動支点となる軸部４３が蓋部３２と台座部３１との間の外側にあるため、中皿３３をより大きく外側へ出現させることができ、収容部４８を大きくでき、化粧料を多く収容できる。また、中皿３３を出現させた状態で中皿３３が重ならないため、収容部４８を大きくでき、化粧料を一層多く収容できる。
【００４９】
また、台座部３１及び蓋部３２は、軸線方向視において円形をなし、重なり一致しているため、見映えが良い。
【００５０】
なお、第１実施形態及び第２実施形態においては、中皿３，３３を揺動させるアームがないため、中皿３，３３を中心軸１２近くまで没入できる結果、中皿３，３３を大きくできて収容部１８，４８を大きくでき、化粧料を一層多く収容できる。
【００５１】
因みに、第１、第２実施形態においては、中心軸１２を蓋部２，３２に設け、中心軸受け７を台座部１，３１に設けているが、中心軸１２を台座部１，３１に設け、中心軸受け７を蓋部２，３２に設けるようにしても良い。
【００５２】
また、第１、第２実施形態においては、台座部１，３１が有底筒状部６，３６、蓋部２，３２が有頂筒状部１１、４１を備える構成となっているが、台座部１，３１、蓋部２，３２は所定の厚みを有する平板であっても良い。
【００５３】
次いで、第３実施形態を説明する。図１９は、本発明の第３実施形態に係る化粧料容器を示す斜視図であり、中皿が没入した状態を示す斜視図、図２０は、図１９に示す状態から中皿が出現した状態を示す斜視図、図２１は、図１９の状態の台座部及び中皿を示す斜視図であり、一部は台座部及び中皿の分解斜視図、図２２は、図２０の状態の台座部及び中皿を示す斜視図、図２３は、図２０の状態の蓋部及び中皿を下方側から見た斜視図、図２４は、台座部を示す斜視図、図２５は、蓋部を下方側から見た斜視図、図２６及び図２７は、中皿を示す各図、図２８は、図２１中のXXVIII-XXVIII線に沿う断面図である。
【００５４】
図１９に示すように、第３実施形態の化粧料容器３００が第２実施形態の化粧料容器２００と違う点は、台座部３１に代えて台座部６１が、蓋部３２に代えて蓋部６２が、中皿３３に代えて中皿６３が、それぞれ用いられており、概略、中皿６３が蓋の機能を兼ね備える点と、台座部６１と蓋部６２とを相対回転させる回転機構が、第２実施形態の中心軸線Ｐの位置から外周側に位置している点が、第２実施形態と異なっている。
【００５５】
台座部６１は、図２４及び図２８に示すように、円形状の底板６４と、底板６４上に同軸に立設され、外径が底板６４より小径且つ径方向に幅広で、高さが低い円筒部６５と、を備え、底板６４及び円筒部６５により中央に凹部が形成されている。この凹部は、例えば、パフ、チップ、ブラシ等の化粧料塗布具、鏡、金皿等に充填された化粧料を収容するための台座収容部６６とされている。また、円筒部６５の外周面及び底板６４の上面により、側方及び上方に開放された凹部８２が円環状に形成されている。凹部８２を形成する円筒部６５の外周面には、蓋部６２を装着するための凸部９０が円環状に設けられている。台座部６１の外周側であり円筒部６５の内周寄りの上面には、中皿６３の長孔８０（後述）に進入するピン６８が、周方向に等間隔に離間して４個突設されている。
【００５６】
図１９及び図２８に示すように、蓋部６２は、中央に上下に貫通する開口部８３を有する円形状の上板６９の外周側の下面に、径方向に幅狭の円筒状の側板７０を立設させた有頂筒状部７１を備えている。図２５及び図２８に示すように、有頂筒状部７１の上板６９の開口部８３は円形状を呈し、その大きさ及び位置は、概ね、台座収容部６６の大きさ及び位置に対応している。上板６９の外周面と側板７０の外周面とは面一となっている。
【００５７】
側板７０には、側板７０を径方向に貫通する開口部８４が、周方向に沿って長尺に４個等間隔に開口されている。開口部８４は、中皿３３を出現又は没入させるための開口である。側板７０において周方向の開口部８４，８４同士の間の内周面には、上板６９から側板７０の開口部８４より下側部分あたりまでを繋ぎ内側に膨出する膨出部８５が形成されている。側板７０の下側の内周面には、台座部６１の凸部９０に軸線方向に係合する凹部９１が円環状に設けられている。この側板７０の凹部９１と円筒部６５の凸部９０により、台座部６１と蓋部６２とを相対回転させる回転機構が構成されている。
【００５８】
上板６９の下面の外周側には、周方向に沿って等間隔に離間して、中皿６３の揺動支点となる軸部７３が４個突設されている。軸部７３は、軸線方向視において、ピン６８より外側に位置している。また、軸部７３は、膨出部８５寄りの位置に設けられている。また、中皿６３が開口部８４に没入した状態（図１９参照）で、軸部７３は、軸線方向視において、ピン６８より時計回りに多少ずれて位置している。
【００５９】
中皿６３は、平板状をなすと共に、図２６及び図２７に示すように、軸線方向視（上下方向視）において略扇形を呈し、ここでは、４個が設けられている（図２１参照）。中皿６３は、外側の円弧面７４と、円弧面７４の両側と扇形の扇頂部とをそれぞれ繋ぐ連結面７６，７７と、これらの面に連結される上、下面を備えている。中皿６３の連結面７７と円弧面７４とは、中皿６３の出没時の膨出部８５との干渉を避けるべく、Ｒ面で繋がっている。
【００６０】
中皿６３は、図１９に示すように、開口部８４に没入した状態において、蓋の機能を備えるべく、蓋部６２の開口部８３に対応する位置の外側に、図２６に示すように、収容部７８を備えている。収容部７８は、円弧面７４に沿う外側の大径円弧面９６と、円弧面７４に沿う内側の小径円弧面９７と、これらの大径円弧面９６と小径円弧面９７とを繋ぐ連結面８８，８９とにより画成される凹部である。
【００６１】
また、中皿６３の収容部７８と連結面７７との間で、円弧面７４寄り且つ収容部７８寄りの位置には、蓋部６２の軸部７３が進入する孔７９が貫通して設けられている。中皿６３の収容部７８と連結面７７との間には、図２６及び図２７に示すように、孔７９から連結面７７に向かって斜めに交差するように延びる長孔８０が、台座部６１のピン６８を遊嵌配置するものとして凹設されている。長孔８０は、ここでは、孔７９に連通して設けられているが、連通していなくても良い。
【００６２】
また、中皿６３は、図１９に示すように、開口部８４に没入した状態において、図２１に示すように、隣接する中皿６３，６３同士の間に隙間がないように、全ての連結面７６，７７同士が接触するようになっている。なお、扇形の扇頂部同士の間には若干の隙間があってもなくても良い。
【００６３】
そして、図２１に示すように、台座部６１に全ての中皿６３を載置しながら、台座部６１のピン６８を長孔８０に遊嵌配置し（図２２も参照）、中皿６３の連結面７６と隣接する中皿６３の連結面７７とを接触させる。この状態で、中皿６３の円弧面７４は、化粧料容器３００の開口部８４より内側に位置している（図１９及び図２８参照）。また、台座部６１のピン６８は、ここでは、長孔８０内の長手方向の途中に位置している。なお、台座部６１のピン６８は、長孔８０の長手方向の端部（ピン６８が当接する後述の回転限の端部とは反対側の端部）に位置していても良い。
【００６４】
この状態で、台座部６１及び中皿６３に、蓋部６２を、軸線方向視において台座部６１に重なり一致するように被せ、図２３を参照して説明すれば、蓋部６２の軸部７３を中皿６３の孔７９に挿入すると共に、図２８に示すように、蓋部６２の凹部９１を台座部６１の凸部９０に圧入し回転可能且つ軸線方向移動不能に装着することにより、図１９に示すように、中皿６３が開口部８４に没入した化粧料容器３００が得られる。
【００６５】
そして、台座部６１に設けられたピン６８、蓋部６２に設けられ、中皿６３の孔７９に挿入されて中皿６３の揺動支点となる軸部７３、及び、中皿６３に設けられ、ピン６８が遊嵌配置される長孔８０により、中皿６３を揺動させる揺動機構８１（図２４、図２５〜図２７参照）が構成されている。また、台座部６１及び蓋部６２により相対回転部９５が構成されている（図１９参照）。
【００６６】
このように構成された化粧料容器３００によれば、図１９に示す非使用状態にあっては、図２１及び図２６に示す中皿６３の収容部７８及び長孔８０より内側部分９２が、図１９及び図２８に示すように、蓋部６２の開口部８３を台座部６１側から塞いだ状態となっている。
【００６７】
この状態から使用に供する場合には、使用者は、蓋部６２と台座部６１をそれぞれ把持し、蓋部６２と台座部６１を中心軸線Ｐ（台座部６１及び蓋部６２の中心軸線；図２１及び図２８参照）周りに相対回転操作する。ここでは、使用者が、蓋部６２を反時計回りに回転操作したとして説明する。
【００６８】
すると、蓋部６２の回転に伴い、図２２及び図２３を参照して説明すれば、全ての中皿６３は、孔７９に進入している蓋部６２の軸部７３を揺動支点とし、長孔８０内でのピン６８の位置が移動しながら、反時計回りに揺動する、これにより、中皿６３は、相対回転部９５を構成する蓋部６２の開口部８４から外部へ出現してくる。
【００６９】
そして、台座部６１のピン６８が、長孔８０の長手方向の端部に当接すると蓋部６２が回転限となり、図２０に示す状態となる（図２２及び図２３も参照）。この状態では、全ての中皿６３の収容部７８は、ほぼ全体が、開口部８４から外部に出現（露出）している。
【００７０】
この状態では、中皿６３により塞がれていた開口部８３が開となり、台座収容部６６の化粧料塗布具、鏡、化粧料を使用に供することができる。
【００７１】
そして、使用が終了したら、使用者は、蓋部６２を逆方向の時計回りに回転操作する。すると、蓋部６２の回転に伴い、全ての中皿６３は、孔７９に進入している蓋部６２の軸部７３を揺動支点とし、長孔８０内でのピン６８の位置が移動しながら、時計回りに揺動する。そして、台座部６１のピン６８が、長孔８０の元の位置まで移動すると、中皿６３の連結面７６，７７同士が接触し（図２１参照）、蓋部６２が回転限となる。この状態で、全ての中皿６３は、相対回転部９５を構成する蓋部６２の開口部８４に没入し、図１９に示す状態となる。
【００７２】
なお、蓋部６２の開口部８４は、相対回転部９５を構成する台座部６１に設けることもできる。具体的には、台座部６１に上方へ延びる円筒状の側板を設けると共に、回転機構を上部に移設し、台座部６１の側板に、中皿６３が出没する開口部８４を設ければ良い。
【００７３】
このような第３実施形態の化粧料容器３００にあっても、第２実施形態と同様な作用・効果を奏する。すなわち、複数の中皿６３が、蓋部６２と台座部６１との間で中心軸線Ｐ周りに沿って配置され、蓋部６２と台座部６１との中心軸線Ｐ周りの相対回転操作によって、複数の中皿６３がそれぞれの揺動機構８１により揺動し同時に、蓋部６２及び台座部６１よりなる相対回転部９５から側方へ出現又は相対回転部９５内に没入するため、見映えが良く、且つ、操作が容易である。また、このように中皿６３は多段に配置されていないため、高さを低くでき、コンパクト化できる。また、中皿６３を揺動させる揺動機構８１は、例えば化粧料容器の中心軸に連結され外側へ延びるアームと中皿とを軸線方向に重ねて連結する構成ではないため、高さをアームの分低くでき、一層コンパクト化できる。また、揺動支点となる軸部７３が蓋部６２と台座部６１との間の外側にあるため、中皿６３をより大きく外側へ出現させることができ、収容部７８を大きくでき、化粧料を多く収容できる。また、中皿６３を出現させた状態で中皿６３が重ならないため、収容部７８を大きくでき、化粧料を一層多く収容できる。
【００７４】
加えて、蓋部６２は、中央に開口部８３を有し、中皿６３が没入した状態で、中皿６３の収容部７８及び長孔８０より内側部分９２が、開口部８３を塞ぐ構成のため、中皿６３の収容部７８及び長孔８０より内側部分９２を、蓋として兼用できる。
【００７５】
また、台座部６１において開口部８３に対向する位置には、台座収容部６６が凹設されているため、台座収容部６６に化粧料塗布具、鏡、金皿等に充填された化粧料を収容でき、使用時に中皿６３が揺動し出現すると、中皿６３により塞がれていた開口部８３が開となり、使用に供することができる。
【００７６】
なお、第３実施形態の回転機構を、第１、第２実施形態に適用することも可能である。これによれば、第１、第２実施形態の中皿３，３３の外形形状を、中皿６３と同様に中心軸線Ｐへ拡大でき、収容部１８，４８を大きくできることにより、化粧料を一層多く収容できる。
【００７７】
以上、本発明をその実施形態に基づき具体的に説明したが、本発明は上記実施形態に限定されるものではなく、例えば、中皿３，３３の長溝２０，５０は、ピン８，３８が遊嵌配置されれば、中皿３，３３を貫通する長孔であっても良い。また、中皿６３の長孔８０は、ピン６８が遊嵌配置されれば、長溝であっても良い。また、孔１９，４９，７９は貫通していなくても良い。
【００７８】
また、ピン８，３８，６８を台座部１、３１，６１に設け、揺動支点となる軸部１３，４３，７３を蓋部２，３２，６２に設けても良い。すなわち、蓋部２，３２，６２又は台座部１、３１，６１の何れか一方の対向面にピンを設け、蓋部２，３２，６２又は台座部１、３１，６１の他方の対向面に軸部を設けても良い。また、ピン８，３８，６８の形状は、円柱以外に多角柱であっても良い。
【００７９】
また、中皿３，３３，６３の個数は上記実施形態の個数に限定されるものではなく、複数個であれば良い。
【符号の説明】
【００８０】
１，３１，６１…台座部、２，３２，６２…蓋部、３，３３，６３…中皿、８，３８，６８…ピン、１３，４３，７３…軸部、１８，４８，７８…収容部、２０，５０…長溝、２１，５１，８１…揺動機構、６６…台座収容部、８０…長孔、８３…開口部、９２…内側部分、９３，９４，９５…相対回転部、１００，２００，３００…化粧料容器、Ｐ…中心軸線。
【図１】
2020185097.tif 000003
【図２】
2020185097.tif 000004
【図３】
2020185097.tif 000005
【図４】
2020185097.tif 000006
【図５】
2020185097.tif 000007
【図６】
2020185097.tif 000008
【図７】
2020185097.tif 000009
【図８】
2020185097.tif 000010
【図９】
2020185097.tif 000011
【図１０】
2020185097.tif 000012
【図１１】
2020185097.tif 000013
【図１２】
2020185097.tif 000014
【図１３】
2020185097.tif 000015
【図１４】
2020185097.tif 000016
【図１５】
2020185097.tif 000017
【図１６】
2020185097.tif 000018
【図１７】
2020185097.tif 000019
【図１８】
2020185097.tif 000020
【図１９】
2020185097.tif 000021
【図２０】
2020185097.tif 000022
【図２１】
2020185097.tif 000023
【図２２】
2020185097.tif 000024
【図２３】
2020185097.tif 000025
【図２４】
2020185097.tif 000026
【図２５】
2020185097.tif 000027
【図２６】
2020185097.tif 000028
【図２７】
2020185097.tif 000029
【図２８】
2020185097.tif 000030